(57)【要約】【課題】大幅な電力を必要としないで、広告表示できる電子看板システムを提供する。【解決手段】広告画像情報や文字情報を送信するサーバ２と、このサーバ２から送信される前記広告画像情報や前記文字情報を受信すると共に表示するパネル部とを有する電子看板システムにおいて、パネル部３は、サーバ２から送信される前記広告画像情報や前記文字情報を受信する受信部１３と、前記受信部１３で受信された前記広告画像情報や前記文字情報を表示する複数の表示部５〜７と、印刷物を掲示する印刷掲示部４と、受信部１３で受信された前記広告画像情報や前記文字情報を表示させるべき表示部を前記複数の表示部の中から選択する制御信号を出力する制御部１４と、を有する。【選択図】      図１
2006154607.tif 000002
【特許請求の範囲】
【請求項１】
広告画像情報や文字情報を送信するサーバと、前記サーバから送信される前記広告画像情報や前記文字情報を受信すると共に表示するパネル部とを有する電子看板システムにおいて、
前記パネル部は、
前記サーバから送信される前記広告画像情報や前記文字情報を受信する受信部と、
前記受信部で受信された前記広告画像情報や前記文字情報を表示する複数の表示部と、
印刷物を掲示する印刷掲示部と、
前記受信部で受信された前記広告画像情報や前記文字情報を表示させるべき表示部を前記複数の表示部の中から選択する制御信号を出力する制御部と、
を有することを特徴とする電子看板システム。
【発明の詳細な説明】
【技術分野】
【０００１】
本発明は、複数種類の広告に応じた割り振りを行って表示部に表示させる電子看板システムに関する。
【背景技術】
【０００２】
従来の電子看板システムは、特許文献１に記載されているものがある。
特許文献１には、広告画像情報やニュース、天気予報等の文字情報を送信するサーバと、前記広告画像情報や前記文字情報を格納する記憶部を有し、これらの情報を前記記憶部から読み出して平板状の看板スクリーン上に投射する複数の液晶プロジェクタと、前記サーバから送信される広告画像情報や文字情報を受信して前記液晶プロジェクタに送るＰＨＳ端末と、を有し、更新された前記広告画像情報や文字情報を前記看板スクリーンにリアルタイムで表示できることが記載されている。
【特許文献１】特開２０００−３４７５７６号公報
【発明の開示】
【発明が解決しようとする課題】
【０００３】
しかしながら、前記液晶プロジェクタにより前記看板スクリーンに広告画像情報や文字情報を前記看板スクリーンに投射するので、常時液晶プロジェクタやサーバを稼動させる必要があり、大幅な電力を必要としていた。
【０００４】
そこで、本発明は、前述の課題に鑑みて提案されるものであって、大幅な電力を必要としないで、広告情報を表示できる電子看板システムを提供することを目的とする。
【課題を解決するための手段】
【０００５】
本発明は、広告画像情報や文字情報を送信するサーバ（サーバ２）と、前記サーバから送信される前記広告画像情報や前記文字情報を受信すると共に表示するパネル部（パネル部３）とを有する電子看板システムにおいて、前記パネル部は、前記サーバから送信される前記広告画像情報や前記文字情報を受信する受信部（受信部１３）と、前記受信部で受信された前記電子広告画像情報や前記文字情報を表示する複数の表示部（文字表示部５、静止画表示部６、動画表示部７）と、印刷物を掲示する印刷掲示部（印刷表示部４）と、前記受信部で受信された前記広告画像情報や前記文字情報を表示させるべき表示部を前記複数の表示部の中から選択する制御信号を出力する制御部（制御部１４）と、を有することを特徴とする電子看板システムを提供する。
【発明の効果】
【０００６】
本発明によれば、前記パネル部は、前記サーバから送信される前記広告画像情報や前記文字情報を受信する受信部と、前記受信部で受信された前記広告画像情報や前記文字情報を表示する複数の表示部と、印刷物を掲示する印刷掲示部と、前記受信部で受信された前記広告画像情報や前記文字情報を表示させるべき表示部を前記複数の表示部の中から選択する制御信号を出力する制御部と、を有するので、静止画像やポスター等のようにリアルタイムの表示を必要としないものは、最小限の電力を供給するだけで良いため、大幅な電力を必要としないで広告表示できる。
【発明を実施するための最良の形態】
【０００７】
以下、本発明の実施の形態に係る電子看板システムについて、図１及び図２を参照して詳細に説明する。
図１は、本発明の実施の形態に係る電子看板システムを示す図である。図２は、本発明の実施の形態の変形例に係る電子看板システムを示す図である。
【０００８】
図１に示すように、本発明の実施の形態に係る電子看板システム１は、広告画像情報や文字情報を送信するサーバ２と、このサーバ２から送信される広告画像情報や文字情報を受信すると共に表示するパネル部３とからなる。
パネル部３は、パネル上に印刷または掲示された印刷表示部４と、サーバ２から送信される文字情報を表示する文字表示部５と、静止画情報を表示する静止画表示部６と、動画情報を表示する動画表示部７と、音声情報を出力する音声出力部８と、文字表示部５、静止画表示部６、動画表示部７及び音声出力部８を駆動する駆動部９と、からなる。
【０００９】
更に、文字情報、静止画情報、動画情報及び音声情報を格納する情報格納部１０と、外部との情報の入出力が可能な情報入出力端子部１１と、ユーザの要求に応じて各種情報にアクセスするためのＵＲＬ、電話番号などのキー情報が記憶されたＩＣタグ付素子１２と、からなる。
【００１０】
更にまた、アンテナを有し、サーバ２から表示情報を取得する受信部１３と、サーバ２から受信される各情報を表示させるべき各表示部５〜７、或いは出力させるべき音声出力部８を選択的に切り替える制御を行うＣＰＵからなる制御部１４と、各部に電力を供給する電源部１５と、からなる。
【００１１】
各表示部５、６、７には、電気泳動型素子、粒子回転型素子、加熱書き換え型素子、電解析出型素子、磁気泳動型素子、透過型液晶素子、半透過型液晶素子、反射型液晶素子、ＴＮ液晶素子、コレステリック液晶等の双安定型液晶素子、高分子分散型液晶素子、強誘電性液晶素子、半強誘電性液晶素子、エレクトロクロミック素子、有機エレクトロルミネッセンス素子（以下では、有機ＥＬ素子と言う。）、無機エレクトロルミネッセンス素子等が用いられる。
【００１２】
文字や図形表示には、表示コントラストが高く、情報保持能力が必要とされるため、電子ペーパーと呼ばれるマイクロカプセル中の着色粒子の電気泳動型表示素子や粒子回転を利用した２値或いは面積階調表示方式が良い。この場合、カラーフィルタを用いると、着色表示をすることができる。
【００１３】
印刷表示部４には、書き換える必要のないメインテーマや些細なことなどが、直接印刷されるか、印刷物が掲示されて表示させることができる。
またこの印刷表示部４では、無機ＥＬ素子、有機ＥＬ素子などの非表示部が透明な表示媒体を用いて、下地の印刷広告上に文字、静止画、動画などを重ねて表示させることもできる。
【００１４】
また、動画表示部７には、ＴＦＴ駆動液晶素子やＴＦＴ駆動の有機ＥＬ素子を用いることができる。有機ＥＬ素子には、低分子ものと高分子のものがあるが、フレキシビリティが要求される場合には、特に柔軟性に優れた高分子のものが用いられる。有機ＥＬ素子は、自発光で高速な表示性能を有し、視野角依存性がなく、かつ低消費電力であるため好適である。また、ＴＦＴ駆動液晶素子には、消費電力が極めて小さい反射型若しくは半透過型ＴＦＴ駆動プラスティック液晶が好適である。
【００１５】
音声出力部８には、エンタテイメント系広告には欠くことができないものであるが、平面スピーカ、小型スピーカ、透明スピーカ等を用いることができる。
【００１６】
駆動部９に用いる駆動素子としては、電界効果型トランジスタ（ＴＥＴ）が好適である。この電界効果トランジスタとしては、単結晶シリコン、低温ポリシリコン、高温シリコントランジスタ及びアモルファスシリコン等のシリコントランジスタ及びペンタセン、セキシチオフェン、ポリアルキルチオフェンやそれらの誘導体等の有機半導体及びその他の半導体を用いたトランジスタを用いることができる。有機半導体を用いたトランジスタは、比較的低温の製造プロセスを用いて作製できるため、フィルム等のプラスチック基板を用いることができフレキシブルな素子として利用できる。
【００１７】
情報格納部１０には、書き換え可能型不揮発性メモリを用いる。
情報入出力端子部１１は、例えば各種カード型周辺機器が使用可能なカードスロットとしてカード型メモリを使うことで、外部との情報の入出力や前記情報格納部として用いることもできる。
【００１８】
ＩＣタグ付素子１２では、電話番号、ウェブアドレス、電子メールアドレス等の簡単な情報のやり取りに好適である。
受信部１３は、無線によりインターネット、電話回線経由でサーバと接続するものである。
【００１９】
制御部１４は、表示を行うための駆動用ドライブコントローラを有し、各表示部５〜７、音声出力部８、駆動部９、情報格納部１０、情報入出力端子部１１の制御を行う。
電源部１５には、１次電池、２次電池、燃料電池を用いることができる。
【００２０】
次に、電子看板システムの動作について、サーバ２より静止画情報が送信された場合について説明する。
サーバ２より静止画情報が送信されると、受信部１３のアンテナで受信し処理した信号を情報格納部１０に格納される。そして、制御部１４からの指令により情報格納部１０から静止画情報を読み出して駆動部９に送り、この駆動部９により静止画情報を静止画表示部６に表示させる。
【００２１】
また、ユーザが各種情報を得たい場合には、ユーザが持つ携帯電話などの情報端末によりＩＣタグ付素子１２から、例えばＵＲＬ情報を読み取り、別途ＵＲＬで指定されたウエブページをアクセスして、必要な情報を得ることができる。
【００２２】
以上のように、サーバ２から受信される各種情報を表示させるべき各表示部５〜７、或いは出力させるべき音声出力部８を選択的に切り替える制御を行う制御部１４を有しているので、必要な情報だけを表示させることができるため、小電力な電子看板システム１を得ることができる。
【００２３】
次に、実施の形態の変形例について説明する。
図２に示すように、電子看板システム１６では、パネル部３の下方に文字表示部５を配置し、パネル部３の中央部には、直接広告情報が印刷された印刷表示部４を配置し、さらに同一位置に上から重ねて透明な表示媒体により動画情報を表示する動画表示部７を配置している。さらにパネル部３の上方には、駆動部９、情報格納部１０、情報入出力部１１、ＩＣタグ付素子１２、制御部１４、電源部１５を配置し、パネル部の左側には受信部１３を配置したものである。電子看板システム１６の動作は、電子看板システム１の動作と同様で、これにより印刷画面を背景として、アニメ画像を表示するなど、印刷物と電子的な表示とを組み合わせた広告画面を構成できる。
【００２４】
この変形例によれば、電車やバス等の公共輸送機関に設置し、季節、路線、時間帯等によって変えて用いるのに適している。購買対象層を限定し複数の情報を表示できるようにこの電子看板システム１６を複数設定し、週刊誌や月刊誌の雑誌発売情報、映画、音楽等のエンタテインメント系イベントや発売情報、スポーツ系のチケット販売情報、店舗やデバートの買い物情報等多種に亘って表示できる。また、雑誌や本の情報では、文字と静止画とを組み合わせ、エンタテインメント系では、プロモーションフィルムを動画で、その他の情報を静止画や文字で表示、買い物情報を静止画、動画と文字情報を組み合わせることができる。
【図面の簡単な説明】
【００２５】
【図１】本発明の実施の形態に係る電子看板システムを示す図である。
【図２】本発明の実施の形態の変形例に係る電子看板システムを示す図である。
【符号の説明】
【００２６】
１、１６  電子看板システム、２  サーバ、３  パネル部、４  印刷表示部、５  文字表示部、６  静止画表示部、７  動画表示部、８  音声出力部、９  駆動部、１０  情報格納部、１１  情報入出力部、１２  ＩＣタグ付素子、１３  受信部、１４  制御部、１５  電源部
【図１】
2006154607.tif 000003
【図２】
2006154607.tif 000004